(57)【要約】      （修正有）【課題】ランプを点灯させるための始動電圧が入力電圧に左右されなにくい回路を構成し、より安価で小形な部品を使用する事が出来るようにしたものである。【解決手段】制御回路８０の発振周波数をランプ始動時とフンプ安定点灯時とで切り替える周波数設定回路７０を備える。誘導性負荷５０を備える。前記誘導性負荷を一方のスイッチング素子３２と並列に接続する電源用コンデンサ６２を備える。前記電源用コンデンサ６２を介して整流電源１０へ並列に接続する補助コンデンサ６１を備える。前記電源用コンデンサ６２と補助コンデンサ６１の両端を前記平滑用コンデンサ２０に並列に接続するダイオード７１を備える。以上のような複合型インバータ回路において、交流電源１１電圧を検出する検出回路９０を備える。始動周波数設定用抵抗８１＆こ並列に接続し、前記検出回路９０によって検出された電圧によって抵抗値が可変する調整回路９０を備える。【選択図】      図１
2004165107.tif 000002
【特許請求の範囲】
【請求項１】
交流電源電圧を整流する整流電源を備え、平滑用コンデンサを備え、前記平滑用コンデンサの両端に接続す到頭直列一対のスイッチング素子を備え、前記各スイッチング素子と逆並列に接続するフライダイオードを備え、接続する抵抗により発振周波数を設定する周波数設定回路を備え、前記周波数設定回路の出力により所定の発振周波数で前記スイッチング素子の発振を制御する制御回路を備え、ランプを点灯させるときの始動周波数を設定しする始動周波数設定用抵抗を備え、ランプが安定点灯しているときの点灯周波数を設定する点灯周波数設定用抵抗を備え、前記始動周波数設定用抵抗と前記点灯周波数設定用抵抗とに接続し、前記制御回路の発振周波数をランプ始動時とフンプ安定点灯時とで切り替える周波数設定回路を備え、誘導性負荷５０を備え、前記誘導性負荷を一方の前記スイッチング素子と並列に接続する電源用コンデンサを備え、前記電源用コンデンサを介して前記整流電源へ並列に接続する補助コンデンサを備え、前記電源用コンデンサと補助コンデンサの両端を前記平滑用コンデンサに並列に接続するダイオードを備える複合型インバータ回路において、交流電源１１電圧を検出する検出回路を備え、前記始動周波数設定用抵抗を並列に接続し前記検出回路によって検出された電圧によって抵抗値が可変する調整回路を備えることを特徴とする複合型インバータ回路装置。
【発明の詳細な説明】
【０００１】
【発明の属する技術分野】
本発明は、安価で小形な放電灯点灯装置に関する。
【０００２】
【従来の技術】
バラストチョークと共振用コンデンサとのＬＣ共振によりランプを点灯させるための始動電圧を得る複合型インバータでは、そのときの始動周波数が一定とすると、ランプを点灯させるための始動電圧が入力電圧により変動する。このため、入力電圧が定格電圧に対して低い場合には始動電圧が低下するので、定格入力電圧時の始動電圧は高める口設定する必要がある。また、入力電圧が高い場合には始動電圧が定格入力電圧時に比べてさらに高くなる。よって、使用部品は始動電圧が最大となる入力電圧最大時を考慮して必要以上に定格の大きい部品選定をせざるを得ず、価格、形状などの面から不利であった。
【０００３】
【発明が解決しようとする課題】
上記従来技術は、入力電圧が低電圧時においてランプを点灯させるために必要な始動電圧を確保すると定格入力電圧時の始動電圧はその電圧よりも高い始動電圧となり、入力電圧が高電圧時においては始動電圧がさらに高くなるので、最低限必要な始動電圧でランプを点灯させるときに対して十分余裕のある部品を選定せざるを得ず部品の価格、形状などの面から不利であった。
本発明は、ランプを点灯させるための始動電圧が入力電圧に左右されなにくい回路を構成し、より安価で小形な部品を使用する事が出来るよ引こ考案したものである。
【０００４】
【課題を解決するための手段】
上記目的を達成するためるこ、始動周波数設定用抵抗器と並列に入力電圧により抵抗値が可変する調整回路を設け、低入力電圧時には始動周波数設定用抵抗と調整回路との合成抵抗値を上げ周波数を低下させることによりランプの始動電圧を高め、高入力電圧時には低入力電圧時と逆に合成抵抗値を下げて周波数を上昇させることによりランプの始動電圧を低下させる。これらにより、入力電圧の変化によるランプの始動電圧の変動を低減するものである。
【０００５】
【発明の実施の形態】
本発明の実施形態を図１により説明する。これは複合型インバータ回路による放電灯点灯装置である。図中の１０は交流電源１１電圧を整流する整流回路であり、２０は平滑用コンデンサであり、３０はハーフブリッジ形インバータ回路部で３１、３２はスイッチングトランジスタであり、４１、４２はそれぞれスイッチングトランジスタ３１、３２と並列に接続するフライホイールダイオードであり、８０はスイッチングトランジスタ３１、３２をスイッチング制御する制御回路であり、８１はランプを点灯させるときの始動周波数を設定する始動周波数設定用抵抗であり、８２はランプが安定点灯しているときの点灯周波数を設定する点灯周波数設定用抵抗であり、７０は前記始動周波数設定用抵抗８１と前記点灯周波数設定用抵抗８２とに接続し、前記制御回路８０の発振周波数をランプ始動時とランプ安定点灯時とで切り替える周波数設定回路であり、スイッチングトランジスタ３２と並列にそれぞれ直列に接続されたバラストチョーク５１、蛍光ランプ５２、電源用コンデンサ６２を備え、５３は蛍光ランプ５２と並列に接続される共振用コンデンサであり、６１は整流回路１０と電源用コンデンサ６２とを並列に接続する補助コンデンサであり、７１は電源用コンデンサ６２と補助コンデンサ６１の両端を平滑用コンデンサ２０にき並列に接続するダイオードである。９０は入力電圧を検出する検出回路であり、９１は整流用ダイオード、９２、９３は分圧用抵抗器、９４は平滑用コンデンサ、１００は始動周波数設定用抵抗器８１と並列に接続し検出回路９０による検出電圧により抵抗値が可変する調整回路であり、１０軒ま検出電圧により動作するトランジスタであり、１０２はトランジスタ１０１のベース電流を制限するベース抵抗であり、１０３はトランジスタ１０１と直列に接続し、周波数設定用抵抗器と並列に接続する調整用抵抗器である。
【０００６】
この回路において、ランプを点灯させるためにランプ両端に発生する始動電圧は主として直流電圧ＶＣとバラストチョーク５１のインダクタンス、共振用コンデンサ５３の容量、発振周波数団こより決定されが、このインダクタンス、コンデンサ容量が一定である場合、直流電圧ＶＣと始動発振周波数Ｆに決定される。この直流電圧ＶＣは入力電圧に比例して変化するため、始動発振周波数が一定である場合、ランプ両端に発生する始動電圧は入力電圧が高いときには高い始動電圧となり、低いときには低い始動電圧となるよって、この変化分を発振周波数により補正する。
【０００７】
ここで、その発振周波数を補正する検出回路９０と調整回路１００の動作を説明する。交流電源１１を整流用ダイオード９１Ｇこより整流し分圧用抵抗器９２、９３により分圧し平滑用コンデンサ９４により平滑した電圧がベース抵抗１０２とトランジスタ１０１のベース−エミッタ間に印可され、ベース抵抗器１０劉こより制限されたベース電流がトランジスタ１０１４こ流れる。ただし、このときのベース電流はベース抵抗器１０２により制限されておりトランジスタは不飽和領域でオンしている。よって、始動周波数設定用抵抗器８１と並列に直列接続されるトランジスタ１０１と調整用抵抗器ＬＯ３はベース電流の大きさとトランジスタ１０１のＨＦＥにより設定される可変抵抗器として機能するため、入力電圧が高いときには抵抗値が大きくなり始動周波数は低下し、入力電圧が低いときには抵抗値が小さくなり始動周波数は上昇する。また、このランプが点灯するときには周波数設定回路７０により制御回路８０は始動周波数設定用抵抗８１で設定される周波数で動作するようスイッチング素子３１・３２を制御する。やがて、ランプが点灯すると周波数設定回路７０は始動周波数設定用抵抗８１から点灯周波数設定用抵抗８２に切り替え〉点灯周波数設定用抵抗８２で設定される点灯周波数を設定し、この出力によって制御回路８０は安定点灯時の周波数でスイッチング素子３１・３２を制御し安定点灯状態となる。
【０００８】
上記の通り、入力電圧によって直流電圧ＶＣの変化と始動周波数の変化は、ランプの始動電圧の大きさ対して反比例する方向に働く。よって、入力電圧が変化した場合においてもランプの始動電圧の変動が減少するように調整回路１００のベース抵抗器１０２とトランジスタ１０１のＨＦＥを選定することにより、ランプの始動電圧が入力電圧に左右されにくい回路を構成し、入力電圧変化によるランプ両端に発生する始動電圧の変動を低減することができる。
【０００９】
【発明の効果】
本発明によれば、入力電圧の変化によるランプの始動電圧の変動を減少させることが  出来るため、、使用部品は入力電圧によるランプの始動電圧の変動を考慮した定格の大  きい部品を使用する必要が無く、入力電圧によりランプの始動電圧が変化するときに比  べて小形で安価な部品を選定することが出来る。
【図面の簡単な説明】
【図１】本発明装置の回路図である。
【符号の説明】
７０：周波数設定回路、８０：制御回路、９０：入力電圧検出回路、１００：発振周波数調整回路、ＶＣ：直流電圧
【図１】
2004165107.tif 000003